(57)【要約】      （修正有）【課題】製品の充電の利便性を向上させ、かつ、製品の内部構造の変動を小さくすることができる充電中継装置を提供する。【解決手段】充電中継装置は、コネクターと、中継基板４と、２つのピン２を備え、コネクターは、ハウジング１１と端子を備え、中継基板４がハウジング１１内に設けられ、中継基板４が端子に電気的に接続され、２つのピン２は、中継基板４を介してコネクターと導通するように、それぞれ中継基板４に電気的に接続される。充電中継装置は、製品の充電の利便性を実現し、充電中継装置の取付効率を向上させる。【選択図】図５
0003234522.tif 000002
【実用新案登録請求の範囲】
【請求項１】
ハウジング（１１）と端子（１２）が備えられたコネクター（１）を備える充電中継装置であって、
前記ハウジング（１１）内に設けられ、前記端子（１２）に電気的に接続される中継基板（４）と、
前記中継基板（４）を介して前記コネクター（１）と導通するように、それぞれ前記中継基板（４）に電気的に接続される２つのピンと、をさらに備える、
ことを特徴とする充電中継装置。
【請求項２】
前記ピン（２）が前記中継基板（４）に垂直に挿設され、前記端子（１２）が前記中継基板（４）に垂直に挿設される、
ことを特徴とする請求項１に記載の充電中継装置。
【請求項３】
前記コネクター（１）は、本体（１３）とタング（１４）をさらに備え、
前記タング（１４）が前記本体（１３）より前記中継基板（４）から離れる方向に延び、
前記本体（１３）が前記タング（１４）と前記中継基板（４）との間に位置し、
前記本体（１３）と前記中継基板（４）が互いに平行であり、かつ、前記ピン（２）および前記端子（１２）の延設方向に垂直する、
ことを特徴とする請求項２に記載の充電中継装置。
【請求項４】
前記本体（１３）が前記ハウジング（１１）内に位置し、かつ、前記ハウジング（１１）が前記本体（１３）を取り囲んで接触し、
前記ハウジング（１１）と前記本体（１３）とが、それぞれ第１収容空間（６１）と第２収容空間（６２）を形成し、
前記第１収容空間（６１）と前記第２収容空間（６２）とが前記本体（１３）の対向する両側に位置し、
前記タング（１４）が前記第１収容空間（６１）内に位置し、
前記中継基板（４）が前記第２収容空間（６２）内に位置する、
ことを特徴とする請求項３に記載の充電中継装置。
【請求項５】
前記充電中継装置は、にかわ（５）をさらに備え、
前記にかわ（５）が前記第２収容空間（６２）に位置し、
前記にかわ（５）は、前記ハウジング（１１）および前記本体（１３）と前記中継基板（４）とを接続するとともに、前記端子（１２）および前記ピン（２）の一部を覆う、
ことを特徴とする請求項４に記載の充電中継装置。
【請求項６】
前記コネクター（１）は、スペーサ（１５）をさらに備え、
前記スペーサ（１５）は、前記本体（１３）の前記中継基板（４）に向かう表面に設けられるとともに、前記本体（１３）と前記中継基板（４）との間に挟まれ、
前記にかわ（５）は、前記本体（１３）と前記中継基板（４）の間のクリアランスを充填するとともに、前記中継基板（４）を覆う、
ことを特徴とする請求項５に記載の充電中継装置。
【請求項７】
前記中継基板（４）の外周壁が前記本体（１３）の外周壁に対して前記ハウジング（１１）から離れる方向に縮径し、
前記にかわ（５）は、前記中継基板（４）の外周壁を取り囲むとともに、前記中継基板（４）の外周壁と前記ハウジング（１１）の内壁との間の隙間を充填する、
ことを特徴とする請求項５に記載の充電中継装置。
【請求項８】
前記コネクター（１）は、２つの位置決め部材（１６）をさらに備え、
前記２つの位置決め部材（１６）は、前記本体（１３）の前記中継基板（４）に向かう表面に設けられるとともに、それぞれ前記本体（１３）の対向する両側に位置し、
前記中継基板（４）は、２つの位置決め口（４１）をさらに備え、
前記２つの位置決め口（４１）がそれぞれ前記中継基板（４）の対向する両側に設けられ、前記２つの位置決め部材（１６）がそれぞれ前記２つの位置決め口（４１）内まで延びる、
ことを特徴とする請求項３に記載の充電中継装置。
【請求項９】
前記コネクター（１）は、ｔｙｐｅ−Ｃインターフェースである、
ことを特徴とする請求項１に記載の充電中継装置。
【請求項１０】
２つの前記ピン（２）のうちの一方はグランド端であり、他方は電源端であり、前記コネクター（１）のグランド端子が前記中継基板（４）を介して前記グランド端の前記ピン（２）に接続され、前記コネクター（１）の電源端子が前記中継基板（４）を介して前記電源端の前記ピン（２）に接続される、
ことを特徴とする請求項１に記載の充電中継装置。
【請求項１１】
前記ハウジング（１１）の外壁に封止構造（３）が設けられ、かつ、前記ハウジング（１１）の外壁に、周方向に沿って凹溝が設けられ、前記封止構造（３）が前記凹溝内に嵌設される、
ことを特徴とする請求項１に記載の充電中継装置。
【考案の詳細な説明】
【技術分野】
【０００１】
本考案は、充電装置の技術分野に関し、特に充電中継装置に関する。
【背景技術】
【０００２】
科学技術の発展に伴い、ますます多くの種類の電子製品が人々の生活に登場し、人々の生活に極めて大きな利便性をもたらしている。バッテリーを有する電子製品は、通常、その内部のバッテリーモジュールが２ピン（２−ｐｉｎｓ）の入力端を有し、このような入力端は、外部電源を接続することに用いられ、電力を受けてバッテリーを充電するが、外部電源の出力端の仕様は多数の種類があるため、電子製品は、外部電源の出力端を充電中継モジュールを介して内部の２ピン入力端に電気的に接続するように特定仕様の外部電源の出力端について特定仕様の充電中継モジュールを設ける必要がある。また、特定仕様の充電中継モジュールに対応するためには、電子製品内部の構造は適応性の特定仕様の設計を必要とする可能性があり、電子製品の構造自体の変動が大きくなる。
【考案の概要】
【考案が解決しようとする課題】
【０００３】
本考案は、製品の充電の利便性を向上させ、かつ、製品の内部構造の変動を小さくすることができる充電中継装置を提案することを目的とする。
【課題を解決するための手段】
【０００４】
この目的を達成するために、本考案には以下の技術案が採用されている。
【０００５】
充電中継装置は、ハウジングと端子が備えられたコネクターを備え、前記ハウジング内に設けられ、前記端子に電気的に接続され、前記中継基板を介して前記コネクターと導通するように、２つのピンがそれぞれ電気的に接続されている中継基板をさらに備える。
【０００６】
好ましくは、前記ピンが前記中継基板に垂直に挿設され、前記端子が前記中継基板に垂直に挿設される。
【０００７】
好ましくは、前記コネクターは、本体とタングをさらに備え、前記タングが前記本体より前記中継基板から離れる方向に延び、前記本体が前記タングと前記中継基板との間に位置し、前記本体と前記中継基板が互いに平行であり、かつ、前記ピンおよび前記端子の延設方向と垂直する。
【０００８】
好ましくは、前記本体が前記ハウジング内に位置し、かつ、前記ハウジングが前記本体を取り囲んで接触し、前記ハウジングと前記本体とがそれぞれ第１収容空間と第２収容空間を形成し、前記第１収容空間と前記第２収容空間が前記本体の対向する両側に位置し、前記タングが前記第１収容空間内に位置し、前記中継基板が前記第２収容空間内に位置する。
【０００９】
好ましくは、前記充電中継装置は、にかわをさらに備え、前記にかわが前記第２収容空間に位置し、前記にかわは、前記ハウジングおよび前記本体と前記中継基板とを接続するとともに、前記端子および前記ピンの一部を覆う。
【００１０】
好ましくは、前記コネクターは、スペーサをさらに祖姉、前記スペーサは、前記本体の前記中継基板に向かう表面に設けられるとともに、前記本体と前記中継基板との間に挟まれ、前記にかわは、前記本体と前記中継基板の間のクリアランスを充填するとともに、前記中継基板を覆う。
【００１１】
好ましくは、前記中継基板の外周壁は、前記本体の外周壁に対して前記ハウジングから離れる方向に縮径し、前記にかわは、前記中継基板の外周壁を取り囲むとともに、前記中継基板の外周壁と前記ハウジングの内壁の間の隙間を充填する。
【００１２】
好ましくは、前記コネクターは、２つの位置決め部材をさらに備え、前記２つの位置決め部材は、前記本体の前記中継基板に向かう表面に設けられるとともに、それぞれ前記本体の対向する両側に位置し、前記中継基板は、２つの位置決め口をさらに備え、前記２つの位置決め口がそれぞれ前記中継基板の対向する両側に設けられ、前記２つの位置決め部材がそれぞれ前記２つの位置決め口内まで延びる。
【００１３】
好ましくは、前記コネクターは、ｔｙｐｅ−Ｃインターフェースである。
【００１４】
好ましくは、２つの前記ピンのうちの一方はグランド端であり、他方は電源端であり、前記コネクターのグランド端子が前記中継基板を介して前記グランド端の前記ピンに接続され、前記コネクターの電源端子が前記中継基板を介して前記電源端の前記ピンに接続される。
【００１５】
好ましくは、前記ハウジングの外壁に封止構造が設けられ、かつ、前記ハウジングの外壁に、周方向に沿って凹溝が設けられ、前記封止構造が前記凹溝内に嵌設される。
【考案の効果】
【００１６】
本考案の効果として、本考案の充電中継装置は、中継基板を介して、コネクターをピンに接続させ、ピンが製品に接続されると、コネクターを介して製品を充電することができ、他の電子製品の充電器と共通し、製品の充電の利便性を実現することができ、かつ、本考案における充電中継装置は、製品構造自体の構造変動を小さくにし、体積が小さくにし、携帯に便利である。
【図面の簡単な説明】
【００１７】
【図１】本考案の具体的な実施形態に係る充電中継装置の第１視角の構成を模式的に示す斜視図である。
【図２】本考案の具体的な実施形態に係る充電中継装置の第２視角の構成を模式的に示す斜視図である。
【図３】本考案の具体的な実施形態に係る、ハウジングを除去した充電中継装置の構成を模式的に示す斜視図である。
【図４】本考案の具体的な実施形態に係る充電中継装置の構成を模式的に示す側面図である。
【図５】図４のＡ−Ａでの断面構成を模式的に示す図である。
【図６】本考案の具体的な実施形態に係る中継基板の構成を模式的に示す正面図である。
【図７】本考案の具体的な実施形態に係る、にかわを省略した充電中継装置の第３視角の構成を模式的に示す斜視図である。
【図８】本考案の具体的な実施形態に係る、にかわを省略した充電中継装置の背面図である。
【考案を実施するための形態】
【００１８】
なお、本考案の説明において、用語「中心」、「上」、「下」、「左」、「右」、「垂直」、「水平」、「内」、「外」等で示される方位又は位置関係は、図面に基づいて示した方位又は位置関係であり、本考案の説明や説明の簡略化ためのものだけであり、指された装置又は要素は特定の方位を有する必要があり、特定の方位で構造及び操作することを指示又は暗示することではない、そこで、本考案への限定に解釈してはならない。また、用語「第１」、「第２」は、単に説明するためのものであり、相対的な重要性を指示又は暗示することに解釈してはならない。ここで、「第１位置」と「第２位置」とは、２つの異なる位置である。
【００１９】
他の明確的な規定と限定がない限り、用語「取付」、「連結」、「接続」、「固定」は、広義に解釈されるべき、例えば、固定的に接続してもよいし、着脱可能に接続してもよいし、機械的に接続してもよいし、電気的に接続してもよいし、直接的に接続してもよいし、中間媒体を介して間接的に接続してもよいし、２つの素子内部の連通又は２つの素子の相互作用関係であってもよい。当業者であれば、上述した用語は、具体的な状況によって本考案における具体的な意味を理解することができる。
【００２０】
他の明確的な規定と限定がない限り、第１特徴が第２特徴の「上」又は「下」であることは、第１特徴及び第２特徴が直接に接触することを含んでもよいし、第１特徴及び第２特徴が直接に接触せずにそれらの間の他の特徴を介して接触することを含んでもよい。さらに、第１特徴が第２特徴の「上」、「上方」、及び「上面」は、第１特徴が第２特徴の直上及び斜め上にあることを含み、又は、第１特徴の水平の高さが第２特徴よりも高いことのみを意味する。第１特徴が第２特徴の「下」、「下方」、及び「下面」は、第１特徴が第２特徴の直下及び斜め下にあることを含み、又は、第１特徴の水平の高さが第２特徴よりも小さいことのみを意味する。
【００２１】
以下、図面１〜６を参照しながら、具体的な実施形態によって本考案の技術案をさらに説明する。
【００２２】
本実施例は、充電中継装置を提供し、図１〜図３に示すように、充電中継装置は、コネクター１と、中継基板４と２つのピンを備える。コネクター１は、ハウジング１１と端子１２を備え、中継基板４がハウジング１１内に設けられ、中継基板４が端子１２に電気的に接続し、２つのピン２は、中継基板４を介してコネクター１と導通するように、それぞれ中継基板４に電気的に接続される。
【００２３】
本実施例において、中継基板４を介してコネクター１とピン２を接続させ、ピン２が製品に接続されると、コネクター１を介して製品を充電することができ、他の電子製品の充電器と共通し、製品の充電の利便性を実現することができ、かつ、本実施例における充電中継装置は、製品構造自体の構造変動を小さくにし、体積が小さくにし、携帯に便利である。
【００２４】
例を挙げれば、バッテリーを有する電子製品は、通常、その内部のバッテリーモジュールが２ピン（２−ｐｉｎｓ）の入力端を有し、このような入力端は、外部電源を接続することに用いられ、電力を受けてバッテリーを充電し、しかし、外部電源の出力端の仕様は多数の種類があるため、電子製品は、外部電源の出力端を充電中継モジュールを介して内部の２ピン入力端に電気的に接続するように特定仕様の外部電源の出力端について特定仕様の充電中継モジュールを設ける必要があり、また、特定仕様の充電中継モジュールに対応するためには、電子製品内部の構造は適応性の特定仕様の設計を必要とする可能性があり、電子製品の構造自体の変動が大きくなる。本実施例において、本実施例の充電中継装置によって共通性を向上させることができる。いくつかの実施例において、コネクター１は、ＵＳＢコネクターであり、ＵＳＢ仕様に準拠した外部電源出力端に嵌合できる。ＵＳＢ仕様に準拠した外部電源が広く使用されているため、充電中継装置のコネクター１は、ＵＳＢ仕様に準拠した様々な外部電源を便利に接続することができ、かつ、充電中継装置の中継基板４とピン２によって、コネクター１が受けた電力を中継基板４およびピン２を介してバッテリーモジュールに便利に入力することができ、かつ、充電中継装置は簡単に電子製品のハウジングに設けられて内部まで延びることができる。
【００２５】
本実施例における充電中継装置の使用の利便性をさらに向上するために、いくつかの実施例において、コネクター１はＵＳＢ  ｔｙｐｅ−Ｃ仕様に準拠するｔｙｐｅ−Ｃインターフェースであり、ｔｙｐｅ−Ｃインターフェースの厚さがより薄くなり、本実施例における充電中継装置の体積を小さくすることができる。もちろん、当業者であれば、必要に応じてコネクター１の形態を設定してもよく、ここでは限定しない。
【００２６】
いくつかの実施例において、中継基板４はＦＰＣであり、ＦＰＣによってコネクター１とピン２との間の電気的な接続を実現する。本実施例において、中継基板４はプリント基板（ＰＣＢ：Ｐｒｉｎｔｅｄ  Ｃｉｒｃｕｉｔ  Ｂｏａｒｄ）であり、プリント基板によってコネクター１とピン２との接続を容易にすることができる。もちろん、当業者であれば、必要に応じて中継基板４の形態を設定してもよく、ここでは限定しない。
【００２７】
ピン２と中継基板４との接続の利便性をさらに向上させるために、図３に示すように、ピン２が中継基板４に垂直に挿設される。詳細的には、中継基板４には２つのピン２とそれぞれ合致する第１挿通孔が設けられ、各ピン２が１つの第１挿通孔内に挿設される。詳細的には、ピン２は、第１挿通孔に溶接され、ピン２と中継基板４を確実に接続させる。
【００２８】
さらに、図３に示すように、コネクター１の端子１２は、中継基板４に垂直に挿設され、コネクター１の端子１２と中継基板４との接続を容易にすることができる。詳細的には、中継基板４に、コネクター１における端子１２と一対一に合致する第２挿通孔が開設され、コネクター１における各端子１２は、それぞれ１つの第２挿通孔内に挿設され、コネクター１と中継基板４を確実に接続させることができ、かつ、組み付けの効率を向上させることができる。
【００２９】
いくつかの実施例において、中継基板４がピン２とコネクター１の端子１２の間に垂直に設けられる。ここで、前記垂直とは、ピン２およびコネクター１の端子１２の延設方向が中継基板４の対向する２つの主表面に垂直することであり、２つのピン２は、中継基板４の一方の主表面から中継基板４に垂直に挿設されるとともに、当該主表面に固定され、端子１２は、中継基板４の他方の主表面から中継基板４に垂直に挿設されるとともに、当該他方の主表面に固定され、電子製品内の占有スペースを低減するように、中継基板４を２つのピン２とコネクター１との間に密接に挟み、充電中継装置全体をよりコンパクトにする。
【００３０】
いくつかの実施例において、コネクター１は、本体１３とタング１４をさらに備え、タング１４が本体１３より中継基板４から離れる方向に延び、本体１３がタング１４と中継基板４との間に位置し、かつ、端子１２の一端が前記延設方向に沿ってタング１４まで延び、他端が前記延設方向に沿って中継基板４まで延び、本体１３がハウジング１１内に位置し、かつ、ハウジング１１の内壁が本体１３を取り囲んで接触し、ハウジング１１が本体１３と第１収容空間６１とを形成し、タング１４が第１収容空間６１内に位置する。
【００３１】
図２、図７および図８に示すように、いくつかの実施例において、ハウジング１１は、本体１３と第２収容空間６２とを形成し、第１収容空間６１と第２収容空間６２が本体１３の対向する両側に位置し、中継基板４が第２収容空間６２内に位置する。いくつかの実施例において、中継基板４とハウジング１１の内壁との間に隙間を有し、中継基板４はハウジング１１の内壁に接触しない。
【００３２】
いくつかの実施例において、本体１３は、端子１２の延設方向に垂直する板状の構造であり、ピン２および端子１２の延設方向が本体１３の対向する２つの主表面に垂直する方向である。いくつかの実施例において、中継基板４と本体１３が互いに平行であり、かつ、端子１２およびピン２の延設方向に垂直する。いくつかの実施例において、中継基板４の外周壁は、本体１３の外周壁に対してハウジング１１の内壁から離れる方向に縮径する。
【００３３】
いくつかの実施例において、コネクター１は、スペーサ１５をさらに備え、スペーサ１５は、本体１３の中継基板４に向かう表面に設けられるとともに、本体１３と中継基板４との間に挟まれる。端子１２が中継基板４に差し込まれると、スペーサ１５は本体１３を中継基板４に接触しなくさせ、本体１３と中継基板４との間にクリアランスを保持させ、端子１２の一部が中継基板４と本体１３との間のクリアランスに保持される。
【００３４】
いくつかの実施例において、コネクター１は、２つの位置決め部材１６をさらに備え、２つの位置決め部材１６は、本体１３の中継基板４に向かう表面に設けられるとともに、それぞれ本体１３の対向する両側に位置し、中継基板４は、２つの位置決め口４１をさらに備え、２つの位置決め口４１がそれぞれ中継基板４の対向する両側に設けられ、２つの位置決め部材１６がそれぞれ２つの位置決め口４１内まで延びる。位置決め部材１６と位置決め口４１とは、互いに係合して中継基板４と本体１３との相対位置を決めることができ、組付作業に有利である。いくつかの実施例において、位置決め部材１６および位置決め口４１に、例えば係合ほぞと係合溝のような、互いに係合する構成が設けられ、本体１３と中継基板４とが位置決め部材１６および位置決め口４１とを介して互いに係合可能になる。
【００３５】
詳細的には、図５および図６に示すように、図にはＶＢＵＳは電源ポートであり、ＧＮＤはグランドポートであり、ＣＣはＵＳＢＰＤ通信線ポートである。２つのピン２のうちの一方はグランド端であり、他方は電源端であり、コネクター１のグランド端子が中継基板４を介してグランド端のピン２に接続され、コネクター１の電源端子が中継基板４を介して電源端のピン２に接続され、本実施例におけるコネクター１は、外部電源（例えば充電器、コンピュータ等）に接続可能であり、ピン２によって電子製品内部のバッテリーを充電することができる。
【００３６】
図１および図２に示すように、ハウジング１１と製品をシール接続させるために、ハウジング１１の外壁に封止構造３が設けられる。封止構造３の設置によって、本実施例における充電中継装置を製品に接続する時に、ハウジング１１を製品上の接続孔の内壁にシール接続することができ、ハウジング１１と接続孔の内壁との接続箇所から製品内への水の侵入を防止し、防水性能を向上させ、本実施例における充電中継装置を防水が必要な場合に適用することができ、例えば、電動シェーバーに適用することができ、本実施例における充電中継装置の適用範囲を拡大させる。例を挙げれば、電動シェーバーのハウジングには接続孔を有し、充電中継装置のハウジング１１がこの接続孔に固定され、かつ、封止構造３がハウジング１１と接続孔の内壁との間の隙間を充填することができる。
【００３７】
いくつかの選択できる実施例において、ハウジング１１の外壁に、周方向に沿って凹溝が設けられ、封止構造３が凹溝内に設けられる。好ましくは、封止構造３は、シールリング３１を備え、シールリング３１が凹溝内に嵌設され、構造が簡単であり、封止効果がよい。もちろん、当業者であれば、必要に応じて封止構造３の形態を設定してもよく、ここでは限定しない。
【００３８】
本実施例における充電中継装置のシール性能をさらに向上させるために、中継基板４の外壁とハウジング１１の内壁がシール接続され、コネクター１のインターフェースから製品内への水の侵入を防止することができる。本実施例における充電中継装置は、その構造自体のシールと製品に接続する時のシールとを組み合わせた形態によって、製品の使用時の安全性をより向上させ、本実施例における充電中継装置の適用範囲を拡大させる。
【００３９】
いくつかの実施例において、図４、図５、図７及び図８に示すように、充電中継装置は、にかわ５をさらに備え、にかわ５がハウジング内に位置し、かつ、にかわ５は、ハウジング１１および本体１３と中継基板４とを接続するとともに、端子１２とピン２の一部を覆う。いくつかの実施例において、にかわ５が第２収容空間６２内に位置する。いくつかの実施例において、図１に示すように、にかわ５が第２収容空間６２を充填する。いくつかの実施例において、にかわ５の一部は、本体１３と中継基板４の間の隙間を充填するとともに、中継基板４を覆う。いくつかの実施例において、中継基板４は、ディスペンス又は液体接着剤を注入し硬化することによってにかわ５を形成する方式でハウジング１１の内壁にシール接続される。例えば、液体接着剤は、ハウジング１１の開口からハウジング１１の内部に点入りし、ディスペンスの範囲は、中継基板４、ハウジング１１と本体１３を境界にして、充填後に固化成形される。例えば、液体接着剤は、第２収容空間６２の開口から第２収容空間６２に進入し、かつ、ハウジング１１および本体１３と中継基板４との間の隙間を充填し、充電中継装置の内部のシール性能を向上させる。いくつかの実施例において、中継基板４の外周壁は、本体１３の外周壁に対してハウジング１１の内壁から離れる方向に縮径するため、にかわ５は、中継基板４の外周壁を取り囲むとともに、中継基板４の外周壁とハウジング１１の内壁の間の隙間を充填する。
【００４０】
本実施例における充電中継装置は、中継基板４を介してコネクター１とピン２を接続させ、ピン２が製品に接続されると、コネクター１を介して製品を充電することができ、他の電子製品の充電器と共通し、製品の充電の利便性を実現することができ、中継アセンブリとハウジング１１とのシール接続、およびハウジング１１と製品とのシール接続により、防水性能を向上させ、本実施例における充電中継装置の適用範囲を拡大する上で有利になる。
【００４１】
本実施例は、上述した充電中継装置に適用する充電中継装置の取付方法をさらに提供する。取付方法は、以下のステップを含む。２つのピン２、コネクター１の端子１２をそれぞれ中継基板４に接続し、中継アセンブリを形成し、中継アセンブリをハウジング１１内に取付け、ハウジング１１にシール接続する。本実施例の取付方法は、ハウジング１１内の各パーツを予め組み付けて中継アセンブリを形成してからハウジング１１に接続し、操作が簡単で、シール性能がよく、製品使用の安全性に有利である。
【００４２】
具体的には、中継基板４がディスペンスの方式でハウジング１１内に取り付けられ、詳細的には、ハウジング１１の開口から液状の接着剤をハウジング１１内に点入又は注入し、液状の接着剤によってハウジング１１の内壁および本体１３と中継基板４とを接続するとともに、端子１２およびピン２の一部を覆い、液状の接着剤は、中継基板４とハウジング１１の内壁との接続箇所を充填することができ、接着剤を充填した後、焼き付けを行って、硬化して、にかわ５を形成し、本実施例における充電中継装置の防水効果をより良くなる。
【００４３】
さらに、充電中継装置は、ハウジング１１の外壁に設けられた封止構造を備え、中継アセンブリがハウジング１１の前に取付けられ、封止構造３をハウジング１１の外壁に接続させ、封止構造３とハウジング１１との取り付け、および中継基板４と２つのピン２、コネクター１の端子１２との取り付けを同時に行なうことができ、本実施例における充電中継装置の取付効率を向上させる。
【００４４】
以上、具体的な実施例に関連して本考案の技術原理を説明した。これらの説明は、単に本考案の原理を説明するためになされたものであり、本考案の保護範囲の限定としていかなる形でも解釈することはできない。ここでの説明に基づいて、当業者は、本考案の他の具体的な実施形態を創造的な労働を要することなく連想することができ、これらの方式はすべて本考案の保護範囲内に入る。
【符号の説明】
【００４５】
１    コネクター
１１  ハウジング
１２  端子
１３  本体
１４  タング
１５  スペーサ
１６  位置決め部材
２    ピン
３    封止構造
３１  シールリング
４    中継基板
４１  位置決め口
５    にかわ
６１  第１収容空間
６２  第２収容空間
【図１】
0003234522.tif 000003
【図２】
0003234522.tif 000004
【図３】
0003234522.tif 000005
【図４】
0003234522.tif 000006
【図５】
0003234522.tif 000007
【図６】
0003234522.tif 000008
【図７】
0003234522.tif 000009
【図８】
0003234522.tif 000010